【事件の表示】
　特許第５９６９１７５号に関する訂正審判事件について、次のとおり審決する。
【結　論】
　特許第５９６９１７５号の明細書及び特許請求の範囲を本件審判請求書に添付された訂正明細書及び特許請求の範囲のとおり訂正することを認める。
【理　由】
第１　手続の経緯
　本件訂正審判の請求に係る特許第５９６９１７５号（以下「本件特許」という。）は、平成２３年６月１４日（優先権主張　平成２３年２月２５日）に特願２０１１−１３２２３３号として特許出願され、その請求項１及び２について平成２８年７月１５日に特許権の設定登録がされ、その後、令和３年１月１９日（受付）に本件訂正審判の請求（以下「本件訂正審判請求」という。）がされたものである。
第２　請求の要旨
１　請求の趣旨
　本件訂正審判請求における請求の趣旨は、「特許第５９６９１７５号の明細書、特許請求の範囲を、本件審判請求書に添付した訂正明細書、特許請求の範囲のとおり訂正することを認める、との審決を求める。」というものである。
２　訂正の内容
　本件訂正審判請求による訂正（以下「本件訂正」という。）の内容は、以下のとおりである（下線部が訂正箇所である。）。
　ア　訂正事項１
　特許請求の範囲の請求項１に
　「　前記表面シートの長手方向に沿って延び、前記表面シートの前記裏面シートに臨む面とは反対側の面に接合される基端部と、弾発的に伸縮可能な遊端部とを有する起立片と、
　前記長手方向に垂直な幅方向の一端部および他端部であって、前記長手方向の中央部に、前記長手方向に沿って設けられるギャザーと、」と記載されているのを、
　「　前記表面シートの長手方向に沿って延び
る帯状のシート体であり
第１索条が長手方向に緊張した状態で内封して配設される第１
　前記長手方向に垂直な幅方向の一端部および他端部であって、前記長手方向の中央部に、前記長手方向に沿って設けられ
、不透水で可撓性を有するシートに弾発的に伸縮可能な第２索条が長手方向に緊張した状態で内封して配設される第２遊端部を有す
　イ　訂正事項２
　特許請求の範囲の請求項２に
　「　通気性および透液性を有する帯状の表面シートと、前記表面シートに重ねた状態で接合され、不透液性を有する帯状の裏面シートと、前記表面シートと裏面シートとの間に配設され、吸液性を有する吸収体と、前記表面シートの長手方向に沿って延び、前記表面シートの前記裏面シートに臨む面とは反対側の面に接合される基端部および弾発的に伸縮可能な遊端部を有する起立片と、前記長手方向に垂直な幅方向の一端部および他端部であって、前記長手方向の中央部に、前記長手方向に沿って設けられるギャザーと、を含み、前記接合部は、表面シートの長手方向一端部に形成される接合部と裏面シートの長手方向他端部に形成される接合部とからなり、当該両接合部のうち一方の接合部は、他方の接合部よりも面積が小さく、前記長手方向に伸縮可能な伸縮部が前記長手方向中央部に形成され、前記伸縮部の前記長手方向両側に非伸縮部が形成される請求項１記載のペット用おむつを製造するための方法であって、」と記載されているのを、
　「　
請
　ウ　訂正事項３
　特許請求の範囲の請求項２に
　「　前記起立片が貼着された表面シート、吸収体、および裏面シートが積層され、ギャザーが形成された状態のシート体を所望の形状に型抜きする工程を含むことを特徴とするペット用おむつの製造方法。」と記載されているのを、
　「　前記起立片が貼着された表面シート、吸収体、および裏面シートが積層され、ギャザーが形成された状態の
型抜き前
　エ　訂正事項４
　願書に添付した明細書の段落【０００７】に
　「　前記表面シートの長手方向に沿って延び、前記表面シートの前記裏面シートに臨む面とは反対側の面に接合される基端部と、弾発的に伸縮可能な遊端部とを有する起立片と、
　前記長手方向に垂直な幅方向の一端部および他端部であって、前記長手方向の中央部に、前記長手方向に沿って設けられるギャザーと、」と記載されているのを、
　「　前記表面シートの長手方向に沿って延び
る帯状のシート体であり
第１索条が長手方向に緊張した状態で内封して配設される第１
　前記長手方向に垂直な幅方向の一端部および他端部であって、前記長手方向の中央部に、前記長手方向に沿って設けられ
、不透水で可撓性を有するシートに弾発的に伸縮可能な第２索条が長手方向に緊張した状態で内封して配設される第２遊端部を有す
　オ　訂正事項５
　願書に添付した明細書の段落【０００９】に
　「　また本発明は、通気性および透液性を有する帯状の表面シートと、前記表面シートに重ねた状態で接合され、不透液性を有する帯状の裏面シートと、前記表面シートと裏面シートとの間に配設され、吸液性を有する吸収体と、前記表面シートの長手方向に沿って延び、前記表面シートの前記裏面シートに臨む面とは反対側の面に接合される基端部および弾発的に伸縮可能な遊端部を有する起立片と、前記長手方向に垂直な幅方向の一端部および他端部であって、前記長手方向の中央部に、前記長手方向に沿って設けられるギャザーと、を含み、前記接合部は、表面シートの長手方向一端部に形成される接合部と裏面シートの長手方向他端部に形成される接合部とからなり、当該両接合部のうち一方の接合部は、他方の接合部よりも面積が小さく、前記長手方向に伸縮可能な伸縮部が前記長手方向中央部に形成され、前記伸縮部の前記長手方向両側に非伸縮部が形成される請求項１記載のペット用おむつを製造するための方法であって、」と記載されているのを、
　「　また本発明は、
請
　カ　訂正事項６
　願書に添付した明細書の段落【０００９】に
　「　前記起立片が貼着された表面シート、吸収体、および裏面シートが積層され、ギャザーが形成された状態のシート体を所望の形状に型抜きする工程を含むことを特徴とするペット用おむつの製造方法である。」と記載されているのを、
　「　前記起立片が貼着された表面シート、吸収体、および裏面シートが積層され、ギャザーが形成された状態の
型抜き前
第３　当審の判断
１　訂正の目的、新規事項の追加、及び、特許請求の範囲の拡張・変更の有無について
　ア　訂正事項１について
（ア）訂正の目的の適否
　ａ　訂正事項１は、訂正前の請求項１に記載の「起立片」について、訂正後に「前記表面シートの長手方向に沿って延び
る帯状のシート体であり
第１索条が長手方向に緊張した状態で内封して配設される第１
　ｂ　訂正事項１は、訂正前の請求項１に記載の「ギャザー」について、訂正後に「
不透水で可撓性を有するシートに弾発的に伸縮可能な第２索条が長手方向に緊張した状態で内封して配設される第２遊端部を有する
　ｃ　訂正事項１は、請求項１の記載を引用する請求項２も同様に訂正するものであるから、訂正後の請求項２で引用する「請求項１記載のペット用おむつ」における「起立片」及び起立片が有する「遊端部」の構成を上記ａと同様に更に限定し、「ギャザー」の構成を上記ｂと同様に更に限定するものである。
　したがって、訂正事項１に係る訂正は、特許法１２６条１項ただし書１号に掲げる「特許請求の範囲の減縮」を目的とするものに該当する。
（イ）特許請求の範囲の拡張・変更の有無
　上記（ア）のとおり、訂正事項１は、訂正前の請求項１に記載の「起立片」、起立片が有する「遊端部」及び「ギャザー」について概念的に下位の構成とするものであり、請求項１の記載を引用する請求項２も同様に訂正するものであるから、訂正事項１は、カテゴリーや対象、目的を変更するものではなく、実質上特許請求の範囲を拡張し、又は変更するものではない。
　したがって、訂正事項１に係る訂正は、特許法１２６条６項の規定に適合する。
（ウ）新規事項追加の有無
　ａ　訂正事項１において、「起立片」に関し、「前記表面シートの長手方向に沿って延び
る帯状のシート体であり
　訂正事項１において、起立片が有する「遊端部」に関し、「弾発的に伸縮可能な
第１索条が長手方向に緊張した状態で内封して配設される
　ｂ　訂正事項１において、「ギャザー」に関し、「
不透水で可撓性を有するシートに弾発的に伸縮可能な第２索条が長手方向に緊張した状態で内封して配設される第２遊端部を有する
　ｃ　訂正事項１は、請求項１の記載を引用する請求項２も同様に訂正するものであるところ、訂正後の請求項２で引用する「請求項１記載のペット用おむつ」における「起立片」、起立片が有する「遊端部」及び「ギャザー」に係る訂正後の構成が本件明細書等に記載されているといえることは上記ａ及びｂで述べたとおりである。
　してみると、訂正事項１は、本件明細書等より導かれる技術的事項との関係において新たな技術的事項を導入するものではなく、本件特許の願書に添付した明細書、特許請求の範囲又は図面に記載した事項の範囲内においてするものである。
　したがって、訂正事項１に係る訂正は、特許法１２６条５項の規定に適合する。
　イ　訂正事項２について
（ア）訂正の目的の適否
　訂正事項２は、訂正前の請求項２に記載の「
通気性および透液性を有する帯状の表面シートと、前記表面シートに重ねた状態で接合され、不透液性を有する帯状の裏面シートと、前記表面シートと裏面シートとの間に配設され、吸液性を有する吸収体と、前記表面シートの長手方向に沿って延び、前記表面シートの前記裏面シートに臨む面とは反対側の面に接合される基端部および弾発的に伸縮可能な遊端部を有する起立片と、前記長手方向に垂直な幅方向の一端部および他端部であって、前記長手方向の中央部に、前記長手方向に沿って設けられるギャザーと、を含み、前記接合部は、表面シートの長手方向一端部に形成される接合部と裏面シートの長手方向他端部に形成される接合部とからなり、当該両接合部のうち一方の接合部は、他方の接合部よりも面積が小さく、前記長手方向に伸縮可能な伸縮部が前記長手方向中央部に形成され、前記伸縮部の前記長手方向両側に非伸縮部が形成される
　したがって、訂正事項２に係る訂正は、特許法１２６条１項ただし書３号に掲げる「明瞭でない記載の釈明」を目的とするものに該当する。
（イ）特許請求の範囲の拡張・変更の有無
　上記（ア）のとおり、訂正事項２は、単に訂正後の請求項２の記載を訂正事項１に係る訂正後の請求項１の記載と整合させるための訂正であり、カテゴリーや対象、目的を変更するものではなく、実質上特許請求の範囲を拡張し、又は変更するものではない。
　したがって、訂正事項２に係る訂正は、特許法１２６条６項の規定に適合する。
（ウ）新規事項追加の有無
　上記（ア）のとおり、訂正事項２は、単に訂正後の請求項２の記載を訂正事項１に係る訂正後の請求項１の記載と整合させるための訂正であるから、本件特許の願書に添付した明細書、特許請求の範囲又は図面に記載した事項の範囲内においてするものである。
　したがって、訂正事項２に係る訂正は、特許法１２６条５項の規定に適合する。
　ウ　訂正事項３について
（ア）訂正の目的の適否
　訂正事項３は、請求項１の記載を引用する請求項２に訂正前に「シート体」と記載されていたのを、訂正後に「
型抜き前
帯状のシート体
　したがって、訂正事項３に係る訂正は、特許法１２６条１項ただし書３号に掲げる「明瞭でない記載の釈明」を目的とするものに該当する。
（イ）特許請求の範囲の拡張・変更の有無
　上記（ア）のとおり、訂正事項３は、単に請求項１の記載を引用する請求項２に訂正前に記載されていた事項を、訂正事項１に係る訂正後に請求項１に記載されることとなった事項と区別するための訂正であるから、実質上特許請求の範囲を拡張し、又は変更するものではない。
　したがって、訂正事項３に係る訂正は、特許法１２６条６項の規定に適合する。
（ウ）新規事項追加の有無
　上記（ア）のとおり、訂正事項３は、単に請求項１の記載を引用する請求項２に訂正前に記載されていた事項を、訂正事項１に係る訂正後に請求項１に記載されることとなった事項と区別するための訂正であるから、願書に添付した明細書、特許請求の範囲又は図面に記載した事項の範囲内においてするものである。
　したがって、訂正事項３に係る訂正は、特許法１２６条５項の規定に適合する。
　エ　訂正事項４について
（ア）訂正の目的の適否
　訂正事項４は、明細書の段落【０００７】の記載を、訂正事項１に係る訂正後の特許請求の範囲の請求項１の記載と整合させるための訂正である。
　したがって、訂正事項４に係る訂正は、特許法１２６条１項ただし書３号に規定する「明瞭でない記載の釈明」を目的とするものに該当する。
（イ）特許請求の範囲の拡張・変更の有無
　上記（ア）のとおり、訂正事項４は、明細書の記載を、訂正事項１に係る訂正後の特許請求の範囲の請求項１の記載と整合させるための訂正であるから、実質上特許請求の範囲を拡張し、又は変更するものではない。
　したがって、訂正事項４に係る訂正は、特許法１２６条６項の規定に適合する。
（ウ）新規事項追加の有無
　上記（ア）のとおり、訂正事項４は、明細書の記載を、訂正事項１に係る訂正後の特許請求の範囲の請求項１の記載と整合させるための訂正であるから、訂正事項１に係る訂正について上記「ア（ウ）」で述べたのと同様の理由により、訂正事項４に係る訂正も願書に添付した明細書、特許請求の範囲又は図面に記載した事項の範囲内においてするものである。
　したがって、訂正事項４に係る訂正は、特許法１２６条５項の規定に適合する。
　オ　訂正事項５について
（ア）訂正の目的の適否
　訂正事項５は、明細書の段落【０００９】の記載を、訂正事項１及び２に係る訂正後の特許請求の範囲の請求項２の記載と整合させるための訂正である。　
　したがって、訂正事項５に係る訂正は、特許法１２６条１項ただし書３号に掲げる「明瞭でない記載の釈明」を目的とするものに該当する。
（イ）特許請求の範囲の拡張・変更の有無
　上記（ア）のとおり、訂正事項５は、明細書の記載を、訂正事項１及び２に係る訂正後の特許請求の範囲の請求項２の記載と整合させるための訂正であるから、実質上特許請求の範囲を拡張し、又は変更するものではない。
　したがって、訂正事項５に係る訂正は、特許法１２６条６項の規定に適合する。
（ウ）新規事項追加の有無
　上記（ア）のとおり、訂正事項５は、明細書の記載を、訂正事項１及び２に係る訂正後の特許請求の範囲の請求項２の記載と整合させるための訂正であるから、訂正事項１及び２に係る訂正について上記「ア（ウ）」及び「イ（ウ）」で述べたのと同様の理由により、訂正事項５に係る訂正も願書に添付した明細書、特許請求の範囲又は図面に記載した事項の範囲内においてするものである。
　したがって、訂正事項５に係る訂正は、特許法１２６条５項の規定に適合する。
　カ　訂正事項６について
（ア）訂正の目的の適否
　訂正事項６は、明細書の段落【０００９】の記載を、訂正事項１ないし３に係る訂正後の特許請求の範囲の請求項２の記載と整合させるための訂正である。
　したがって、訂正事項６に係る訂正は、特許法１２６条１項ただし書３号に掲げる「明瞭でない記載の釈明」を目的とするものに該当する。
（イ）特許請求の範囲の拡張・変更の有無
　上記（ア）のとおり、訂正事項６は、明細書の記載を、訂正事項１ないし３に係る訂正後の特許請求の範囲の請求項２の記載と整合させるための訂正であるから、実質上特許請求の範囲を拡張し、又は変更するものではない。
　したがって、訂正事項６に係る訂正は、特許法１２６条６項の規定に適合する。
（ウ）新規事項追加の有無
　上記（ア）のとおり、訂正事項６は、明細書の記載を、訂正事項１ないし３に係る訂正後の特許請求の範囲の請求項２の記載と整合させるための訂正であるから、訂正事項１ないし３に係る訂正について上記「ア（ウ）」、「イ（ウ）」及び「ウ（ウ）」で述べたのと同様の理由により、訂正事項６に係る訂正も願書に添付した明細書、特許請求の範囲又は図面に記載した事項の範囲内においてするものである。
　したがって、訂正事項６に係る訂正は、特許法１２６条５項の規定に適合する。
２　一群の請求項、明細書の訂正と関係する請求項について
　訂正前の請求項１及び２について、請求項２は請求項１を引用しているものであって、訂正事項１によって記載が訂正される請求項１に連動して訂正されるものである。したがって、訂正前の請求項１及び２に対応する訂正後の請求項１及び２は、特許法１２６条３項に規定する一群の請求項である。
３　独立特許要件について
　訂正事項１に係る訂正は、請求項１及び２について特許請求の範囲の減縮を目的とするものであるから、本件訂正後の特許請求の範囲の請求項１及び２に記載された事項により特定される発明が特許出願の際独立して特許を受けることができるものであるか（特許法１２６条７項の規定に適合するか）について、以下、検討する。
　本件特許については、令和２年２月２６日に請求された別件無効審判事件（無効２０２０−８０００２２号。令和２年１２月８日（受付）に取下げられた。）において、本件訂正前の請求項１に係る発明は、特許法２９条２項の規定により特許を受けることができないものであり、その特許は同法１２３条１項２号に該当し、無効とすべきである、との主張がなされ、本件訂正審判請求において請求人が参考資料２ないし６（以下、別件無効審判事件におけるのと同様、甲第１号証ないし甲第５号証という。）として提出した下記の文献を進歩性欠如の証拠とするものである。
　
　甲第１号証：特開２００４−１５９５９２号公報（参考資料２）
　甲第２号証：米国特許出願公開２０１０／９４２３５号（参考資料３）
　甲第３号証：特開２００７−２０５３３号公報（参考資料４）
　甲第４号証：登録実用新案第３０９７６８８号公報（参考資料５）
　甲第５号証：登録実用新案第３１４１５８０号公報（参考資料６）
　そこで、別件無効審判事件における令和２年９月２９日付け審決の予告（送達日：同年１０月１２日）において、本件訂正前の請求項１に係る発明は、甲第１号証及び甲第２号証に記載された発明に基いて、当業者が容易に発明をすることができたものであるから、上記請求項１に係る発明についての特許は、特許法２９条２項の規定に違反してなされたものであり、本件訂正前の請求項１に係る特許は無効とすべきものであるとの判断が示されたことを踏まえ、以下では、本件訂正後の請求項１に係る発明が、甲第１号証ないし甲第５号証に記載された発明又は技術的事項に基いて、当業者が本件特許出願前に容易に発明をすることができたものではなく、特許法２９条２項の規定により特許を受けることができないものに該当しないかについて検討する。
（１）本件訂正発明
　本件訂正後の特許請求の範囲の請求項１及び２の記載は次のとおりである（以下、本件訂正後の請求項１及び２に係る発明を、それぞれ「本件訂正発明１」、「本件訂正発明２」という。分説は便宜のために当審で付した。）。
「【請求項１】
Ａ　ペットの胴体に巻付けて装着され、長手方向を巻付け方向として配置さ
　れるペット用おむつであって、
Ｂ　通気性および透液性を有する帯状の表面シートと、
Ｃ　前記表面シートに重ねた状態で接合され、不透液性を有する帯状の裏面
　シートと、
Ｄ　前記表面シートと裏面シートとの間に配設され、吸液性を有する吸収体
　と、
Ｅ　前記表面シートの長手方向に沿って延びる帯状のシート体であり、前記
　表面シートの前記裏面シートに臨む面とは反対側の面に接合される基端部
　と、弾発的に伸縮可能な第１索条が長手方向に緊張した状態で内封して配
　設される第１遊端部とを有する起立片と、
Ｆ　前記長手方向に垂直な幅方向の一端部および他端部であって、前記長手
　方向の中央部に、前記長手方向に沿って設けられ、不透水性で可撓性を有
　するシートに弾発的に伸縮可能な第２索条が長手方向に緊張した状態で内
　封して配設される第２遊端部を有するギャザーと、
Ｇ　前記表面シートの長手方向一端部と前記裏面シートの長手方向他端部と
　を着脱可能に接合する接合部とを含み、
Ｈ　前記接合部は、表面シートの長手方向一端部に形成される接合部と裏面
　シートの長手方向他端部に形成される接合部とからなり、当該両接合部の
　うち一方の接合部は、他方の接合部よりも面積が小さく、
Ｉ　前記長手方向に伸縮可能な伸縮部が前記長手方向中央部に形成され、前
　記伸縮部の前記長手方向両側に非伸縮部が形成される
　　ことを特徴とするペット用おむつ。
　【請求項２】
Ｊ　請求項１記載のペット用おむつを製造するための方法であって、
Ｋ　前記起立片が貼着された表面シート、吸収体、および裏面シートが積層
　され、ギャザーが形成された状態の型抜き前シート体を所望の形状に型抜
　きする工程を含む
　　ことを特徴とするペット用おむつの製造方法。」
（２）証拠　
　ア　甲第１号証（特開２００４−１５９５９２号公報）の記載事項
　本件特許の優先日前に頒布された刊行物である甲第１号証（以下「甲１」という。）には、以下の記載がある（下線は当審が付した。以下同様。）。
（ア）「【０００１】
【発明の属する技術分野】
本発明は、ペット用尿捕捉用品、特に、室内飼育を主とした、老犬やしつけのできていない幼犬等に対するペットの体に装着するペット用尿捕捉用品に関する。具体的には、おむつをサポートするために、
ペットの尿道口の部分とその近傍を覆うようにして取り付けられて、尿等の排泄物を処理するペット用尿捕捉用品
（イ）「【０００７】
本発明
の目的とするところは、尿等を確実に捕捉可能なペット用尿捕捉用品を提供すること
（ウ）「【００１７】
本発明によれば、
ペットの尿道口を隠すようにして腹巻きのように胴部に巻いた際に
不快感を低減させる
（エ）「【００２１】
（６）　
前記基体の長手方向側縁近傍には、該側縁に沿って立体状の防漏ギャザーを備える
【００２２】
本発明によれば、
立体状の防漏ギャザーでペットの尿等の排泄物の漏れをより一層防ぐことができる
【００２３】
（７）　前記固定手段は、その長手方向が、前記基体の幅方向側縁近傍で該側縁に沿って着設されるものであることを特徴とする（１）から（６）いずれか記載のペット用尿捕捉用品を提供する。
【００２４】
本発明によれば、ペット用尿捕捉用品をペットの胴部に巻いて固定する場合には、この固定手段をもう一方の側縁近傍の重なり合ったトップシート面またはバックシート面に止着するだけで、ペット用尿捕捉用品をペットに固定できる。尚、この固定手段としては粘着剤による係合でも、メカニカル係止等による係合であってもかまわない。一般的にはペット用尿捕捉用品の内面（
トップシート
は不織布
（オ）「【００３２】
（１１）　
前記基体の前記固定手段が着設されている側とは別の側縁近傍には、前記固定手段に対応する被接着部を備え
【００３３】本発明によれば、
被接着部の面積を増やせば増やすほど、１サイズでの装着範囲を広げることができ
固定手段がメカニカル係止のフック部材
【００３４】
（１２）　前記固定手段はメカニカル係止部材であり、前記
被接着部は
メカニカル係止部材との係合力を有する不織布からなる
【００３５】
本発明によれば、メカニカル係止部材に対応する被接着部材によって所定の係合固定力を得ることができる。また、ペット用尿捕捉用品が不織布を構成部材とする場合に、この不織布が被接着部材の役割を果たすことになり、改めて被接着部材を取り付ける必要がなく、より一層好ましい。」
（カ）「【００４８】
図１は本発明に係るペット用尿捕捉用品の第１の実施形態の構成説明図であり、図１（ａ）は平面図、図１（ｂ）は図１（ａ）におけるＸ−Ｘ’線の断面を示す断面図である。図２はペット用尿補足用品の使用状態を説明する図、図３はおむつと併用した場合のペット用尿補足用品の使用状態を説明する図である。これらの図において、符番１００で示される
ペット用尿捕捉用品は、基体１０１と液体吸収性領域１０４とからなり、平面状態では略矩形形状を呈して
液体吸収性領域１０４は尿等の液体を吸収するシート状の吸収体１０４ａを備えており、基体１０１は吸収体１０４ａの一面側を覆うように配設された液透過性を有するシート状のトップシート１０２（身体側面のシート）と、吸収体１０４ａの他面側を覆うように配設された液不透過性を有するシート状のバックシート１０３（反身体側面のシート）とから構成されて
【００４９】
上記液体吸収性領域１０４を構成する吸収体１０４ａは尿等の排泄物の液体を吸収して保持する機能を有するもので、嵩高であり、型崩れし難く、化学的刺激が少ないものであることが好ましい。・・・吸収体１０４ａのサイズ・吸収能力等は、子犬から成犬までの着用対象のペットに対応して変動される。
【００５０】
上記基体１０１を構成するトップシート１０２は、液親水性であり、肌に刺激を与えない材料が使用される。このようなものとしては・・・不織布を単独又はこれらを複合した材料が挙げられる。・・・
【００５１】
また、上記基体１０１を構成するバックシート１０３は、吸収体１０４ａに吸収された排泄物が外へ漏れ出すのを防止できるものを使用することができる。また、透湿性素材とすることにより、装着時のムレを低減させることができ、装着時における不快感を低減させることが可能となる。・・・
【００５２】
ペット用尿捕捉用品１００の他方側縁の近傍には、ペット用尿捕捉用品１００をペットの胴部に取り付けるための固定手段１０５が設けてある
基体１０１のトップシート１０２側の面には、互いに一定距離を隔てて配設されて尿の横
漏れを防ぐ襞状の防漏ギャザー１０６ａ，１０６ｂが設けてある
この防漏ギャザー１０６ａ，１０６ｂの長手方向に沿って、防漏ギャザー１０６ａ，１０６ｂに伸縮性を付与する弾性体１０７ａ，１０７ｂが設けてある
【００５３】
固定手段１０５は
基体１０１のトップシート１０２側で、一方の側縁近傍に
着設されている
【００５４】
防漏ギャザー１０６ａ，１０６ｂの上端縁には、伸長した状態で弾性体１０７ａ，１０７ｂが配設されて
弾性体１０７ａ，１０７ｂが収縮することで防漏ギャザー１０６ａ，１０６ｂが立体状に立ち上げられる
【００５５】
次に、図１と図２および図３を用いて本発明に係るペット用尿捕捉用品の具体的な使用例について詳しく説明する。先ず、ペット用尿捕捉用品１００を持ち、
ペット用尿捕捉用品１００の液体吸収性領域１０４のほぼ中間部分で室内犬
２００の陰部が防漏ギャザー１０６ａ，１０６ｂで挟まれるようにして腹部２０２に当設し、
室内犬
２００の背中部２０１でペット用尿捕捉用品１００の側縁同士を重ね合わせるようにして、胴部に腹巻状に巻かれる
【００５６】
　・・・
【００５７】
また、ペット用尿捕捉用品１００は、図３に示すように、おむつ３００と併用して用いられることが可能である。すなわち、おむつ３００は、大・小便等を処理するため、また、ペット用尿捕捉用品１００は陰部を隠して尿を処理するために装着される。」
（キ）図１は以下のとおり。
「【図１】
」   
（ク）上記（カ）に摘記した【００４８】の記載を踏まえると、図１（ａ）及び図１（ｂ）からは、ペット用尿捕捉用品１００の基体１０１を構成する
シート状のトップシート１０２（身体側面のシート）とシート状のバックシート１０３（反身体側面のシート）は、
帯状をしている
　上記（カ）に摘記した【００５２】及び【００５４】の記載を踏まえると、図１（ａ）からは、ペット用尿捕捉用品１００の基体１０１のトップシート側の面に配設される
襞状の防漏ギャザー１０６ａ，１０６ｂは、
帯状をしている
　上記（カ）に摘記した【００５２】の記載を踏まえると、図１（ａ）からは、ペット用尿捕捉用品１００の長手方向の一方の側縁の近傍に固定手段１０５が設けてあり、
固定手段１０５は、幅方向の長さが、基体１０１の幅方向の長さより小さく、液体吸収性領域１０４の幅方向の長さより小さい長方形である
　上記（カ）に摘記した【００４８】の記載を踏まえると、図１（ｂ）からは、
吸収体１０４ａがトップシート１０２とバックシート１０３の間に配設されるとともに、バックシート１０３がトップシート１０２に
重なって接合されている
　上記（カ）に摘記した【００５２】の記載を踏まえると、図１（ｂ）からは、
防漏ギャザー１０６ａ，１０６ｂの長手方向に沿って、防漏ギャザー１０６ａ，１０６ｂ内に伸縮性を付与する弾性体１０７ａ，１０７ｂが内封されている
　上記（ア）ないし（ク）からみて、甲１には、次の発明（以下「甲１発明」という。）が記載されているものと認められる（分説ａないしｉは、本件訂正発明１の分説ＡないしＩに対応させて当審で付した。）。
　【甲１発明】
ａ　ペット用尿捕捉用品１００の側縁同士を重ね合わせるようにして、ペッ
　トの尿道口を隠すようにして腹巻きのように胴部に巻いて、前記ペットの
　尿道口の部分とその近傍を覆うようにして取り付けられて、尿等の排泄物
　を処理するペット用尿捕捉用品１００であって、前記ペット用尿捕捉用品
　１００は、基体１０１と液体吸収性領域１０４とからなり、平面状態では
　略矩形形状を呈しており、
ｂ　前記基体１０１は前記吸収体１０４ａの一面側を覆うように配設された
　液透過性を有する不織布からなる帯状のトップシート１０２（身体側面の
　シート）と、
ｃ　前記吸収体１０４ａの他面側を覆うように配設され、前記トップシート
　に重なって接合された、液不透過性を有する帯状のバックシート１０３（　反身体側面のシート）とから構成されており、
ｄ　前記液体吸収性領域１０４は、前記トップシート１０２と前記バックシ
　ート１０３の間に配設される、尿等の液体を吸収するシート状の吸収体１
　０４ａを備えており、
ｅ　前記基体１０１のトップシート１０２側の面の長手方向側縁近傍には、
　該側縁に沿って、互いに一定距離を隔てて配設されて尿の横漏れを防ぐ襞
　状の防漏ギャザー１０６ａ，１０６ｂが設けられ、当該防漏ギャザー１０
　６ａ，１０６ｂは帯状をしており、その長手方向に沿って伸縮性を付与す
　る弾性体１０７ａ，１０７ｂが内封されており、前記防漏ギャザー１０６
　ａ，１０６ｂの上端縁には、伸長した状態で弾性体１０７ａ，１０７ｂが
　配設されて、当該弾性体１０７ａ，１０７ｂが収縮することで防漏ギャザ
　ー１０６ａ，１０６ｂが立体状に立ち上げられるものであり、
ｇ　前記基体１０１のトップシート１０２側で、一方の側縁近傍には、ペッ
　ト用尿捕捉用品１００をペットの胴部に取り付けるためのメカニカル係止
　のフック部材からなる固定手段１０５が設けてあり、別の側縁近傍には、
　前記固定手段に対応し、不織布からなる被接着部を備え、
ｈ　前記固定手段１０５は、幅方向の長さが、基体１０１の幅方向の長さよ
　り小さく、液体吸収性領域１０４の幅方向の長さより小さい長方形であり
　、
　　前記被接着部の面積を増やせば増やすほど、１サイズでの装着範囲を広
　げることができるものであり、
ｉ　ペット用尿捕捉用品１００の液体吸収性領域１０４のほぼ中間部分で室
　内犬２００の陰部が防漏ギャザー１０６ａ，１０６ｂで挟まれるようにし
　て腹部２０２に当設し、室内犬２００の背中部２０１でペット用尿捕捉用
　品１００の側縁同士を重ね合わせるようにして、胴部に腹巻状に巻かれる
　、
　　ペット用尿捕捉用品１００。」
　イ　甲第２号証（米国特許出願公開２０１０／９４２３５号）の記載事項
　本件特許の優先日前に頒布された刊行物である甲第２号証（以下「甲２」という。）には、以下の記載がある（括弧内に示した訳文は、当審による。）。
（ア）「[0002]　
The present invention relates
to a canine diaper
a disposable canine diaper which is easily, securely, and comfortably positionable around a torso of a dog to, in turn, provide a safe, effective, and convenient remedy for canine incontinence
本発明は、
イヌ用おむつに関し、
犬の胴の周りに容易に、確実にかつ快適に位置決め可能であり、さらに、イヌの失禁に対する安全で効果的かつ便利な救済策を提供する、使い捨てのイヌ用おむつに関する
（イ）「[0036]　Referring now to the drawings and to FIGS. 1-7 in particular, views of 
canine diaper 100 are shown, which generally comprises outer liner 10, inner liner 30, cavity 40, absorbent core 50, and at least one tab 60
外側ライナ１０、内側ライナ３０、キャビティ４０、吸収性コア５０及び少なくとも１つのタブ６０を概して備えるイヌ用おむつ１００
（ウ）「[0037] 　
Outer liner 10 is shown
as including
front region 12, back region 14,
it is preferred that outer liner 10 comprises a substantially rectangular shape which comprises a size capable of being secured substantially around a torso of a dog.
It is also preferred that outer liner 10 is fabricated from an elastic, stretchable material.
外側ライナ１０は、
前方領域１２、後方領域１４、
を含
示されている
外側ライナ１０は、実質的に犬の胴の周りに固定可能なサイズを有する実質的に矩形の形状を有することが好ましい
外側ライナ１０が弾性で伸縮可能な材料から作製されることも好ましい。
（エ）「[0038] ・・・（中略）・・・
It is preferred that front region 12 comprises primary gathered region 26
Primary gathered region 26 includes a plurality of gathers or puckers in order for front region 12 to have more flexibility and elasticity which, in turn, provides additional comfort and protection against leaks
前方領域１２は、
第１のギャザー状領域２６を含むことが好ましい。第１のギャザー状領域２６は、前方領域１２がより高い可撓性及び弾性を有するために、複数のギャザー又はひだを含み、これがさらに、付加的な快適さ及び漏れに対する保護を提供する
（オ）「[0039]・・・（中略）・・・As can be seen in FIG. 7A, among others, it is also contemplated that back region 14 of outer liner 10 be securable substantially around a rear portion of a torso of a dog. As is shown in FIGS. 4-6, among others, 
it is preferred that back region 14 comprises primary gathered region 26 to, in turn, provide additional comfort and protection against leaks. In an attempt to provide even more comfort and protection against leaks, when each of front region 12 of outer liner 10 and back region 14 of outer liner 10 comprise primary gathered regions 26, outer liner 10 may further comprise at least one secondary gathered region 27 positioned within primary gathered regions 26 of front and back regions 12 and 14 of outer liner 10
後方領域１４が第１のギャザー状領域２６を備え、さらに、付加的な快適さ及び漏れに対する保護を提供することが好ましい。さらにより高い快適さ及び漏れに対する保護を提供するように、外側ライナ１０の前方領域１２及び外側ライナ１０の後方領域１４のそれぞれが第１のギャザー状領域２６を備える場合、外側ライナ１０は、外側ライナ１０の前方領域１２及び後方領域１４の第１のギャザー状領域２６内に位置決めされる少なくとも１つの第２のギャザー状領域２７をさらに備えることができる。
（カ）「[0044] 
Cavity 40 is best shown
as comprising a cavity positioned between outer liner 10 and inner liner 30 of canine diaper 100
Cavity 40 is enclosed by outer perimeter 32 of inner liner 30 and outer liner 10
キャビティ４０は、
イヌ用おむつ１００の外側ライナ１０と内側ライナ３０との間に位置決めされるキャビティを含むものとして最も良く示されている。キャビティ４０は、内側ライナ３０の外周３２及び外側ライナ１０によって包囲される。
（キ）「[0045] 
Absorbent core 50 is best shown in FIG. 3, as being retained within cavity 40. Absorbent core 50 comprises a highly absorbent material capable of absorbing and retaining liquid waste, such as urine, excreted by a dog.
吸収性コア５０は、
キャビティ４０内に保持されるものとして最も良く示されている。吸収性コア５０は、犬が排泄する尿等の液状廃棄物を吸収及び保持することが可能な高吸収性材料を含む
（ク）「[0047] 
Canine diaper 100 is positioned onto a dog by wrapping canine diaper 100 around a rear portion of a torso of a dog, such that
inner liner 30 is positioned inward and in contact with the dog's genital region
イヌ用おむつ１００は
内側ライナ３０が内方に、犬の生殖器領域と接触して位置決めされ、
イヌ用おむつ１００を犬の胴の後方部分の周りに巻き付けることによって犬に位置決めされる。
（ケ）図４は以下のとおりである。
「
」
（コ）上記（オ）に摘記した記載を踏まえると、図４からは、外側ライナ１０の前方領域１２及び外側ライナ１０の後方領域１４のそれぞれが第１のギャザー状領域２６を備える様子が看て取れる。
（サ）図６は以下のとおりである。 
「
」
（シ）上記（イ）、（オ）に摘記した事項、及び、上記（コ）の看取事項を踏まえると、図６からは、外側ライナ１０、内側ライナ３０、キャビティ４０、吸収性コア５０及び少なくとも１つのタブ６０を備える犬用おむつ１００において、
第１のギャザー状領域２６は、外側ライナ１０の前方領域１２の端部及び外側ライナ１０の後方領域１４の端部に、当該端部の形状に沿って設けられ、
前記前方領域１２の端部の形状及び後方領域１４の端部の形状に沿って設けられ
いずれのギャザー状領域も、外側ライナ１０の長手方向において前記内側ライナ３０が配置される位置とほぼ同じ位置であって、外側ライナ１０の長手方向の両方の端部からほぼ等しく離れた位置に形成されている
　
　上記（ア）ないし（シ）からみて、甲第２号証には、次の発明（以下「甲２発明」という。）が記載されているものと認められる。
　【甲２発明】
「犬の胴の周りに位置決め可能な犬用おむつ１００であって、
　実質的に犬の胴の周りに固定可能なサイズを有する実質的に矩形の形状で　弾性で伸縮可能な外側ライナ１０、内側ライナ３０、キャビティ４０、吸収性コア５０及び少なくとも１つのタブ６０を備え、
　前記吸収性コア５０は、内側ライナ３０の外周３２及び外側ライナ１０によって包囲されるキャビティ４０内に保持され、
　外側ライナ１０に、第１のギャザー状領域２６を備えるとともに、当該第１のギャザー状領域２６内に第２のギャザー状領域２７を備える犬用おむつ１００において、
　前記第１のギャザー状領域２６は、外側ライナ１０の前方領域１２の端部及び後方領域１４の端部に、当該端部の形状に沿って設けられ、前方領域１２がより高い可撓性及び弾性を有するために、複数のギャザー又はひだを含み、これがさらに、付加的な快適さ及び漏れに対する保護を提供するものであり、後方領域１４が第１のギャザー状領域２６を備えて、さらに、付加的な快適さ及び漏れに対する保護を提供するものであり、
　前記第２のギャザー状領域２７は、前記第１のギャザー状領域２６内に、前記外側ライナ１０の前方領域１２の端部の形状及び後方領域１４の端部の形状に沿って設けられ、より高い快適さ及び漏れに対する保護を提供するものであり、
　いずれのギャザー状領域も、外側ライナ１０の長手方向において前記内側ライナ３０が配置される位置とほぼ同じ位置であって、外側ライナ１０の長手方向の両方の端部からほぼ等しく離れた位置に形成されるものであり、
　前記内側ライナ３０が内方に、犬の生殖器領域と接触して位置決めされるものである、犬用おむつ。」
　ウ　甲第３号証（特開２００７−２０５３３号公報）の記載事項
　本件特許の優先日前に頒布された刊行物である甲第３号証（以下「甲３」という。）には、以下の記載がある。
（ア）「【００１６】
　図１に示すように、尿漏れ防止ベルト１０は、犬３０の尿道口３６を覆うことができる所定幅を有する帯状となっており、ベルト本体１２の両端側に設けられた一対の面テープ２４及び２６によって、前記犬３０の胴３２に着脱可能となっている。該面テープ２４又は２６のいずれか(図示の例では面テープ２４)を幅広とすることにより、図１（Ｄ）に示すように長さ調節が可能となっており、犬３０の体形に合わせて装着可能となっている。」
（イ）「【００２０】
　図２には、本実施例の変形例が示されている。図２（Ａ）は、使用状態を示す図，図２（Ｂ）は主要断面図である。図２に示す例の尿漏れ防止ベルト１０Ａは、基本的構造は図１に示す例と同様であるが、胸部側の縁部と、後足３４側の縁部に、前記立体ギャザー１６及び２０に加え、他の立体ギャザー１７及び２１が、それぞれほぼ全長にわたって設けられている。このように、更に他の立体ギャザー１７及び２１を設けることにより、更に良好に漏れを防止することができる。」
　エ　甲第４号証（登録実用新案第３０９７６８８号公報）の記載事項
　本件特許の優先日前に頒布された刊行物である甲第４号証（以下「甲４」という。）には、以下の記載がある。
（ア）「【００１０】
【発明の実施の形態】以下、図面を参照しながら本発明にかかる犬のオムツベルトの実施形態について説明する。図１において、符号１０は犬の腹部に当てる腹当て部を示している。この腹当て部１０の左右両側は、犬の左右両側から犬の胴部に巻き付けることができる背当て部１２、１４につながっている。背当て部１２、１４の先端縁部は、背当て部１２、１４を犬の胴部に巻き付けた状態で互いに重なり合うことができ、これら背当て部１２、１４の先端縁部には、両側の背当て部１２、１４を連結することができる連結部２０が設けられている。連結部２０は、一方の背当て部１２側に止め具１８と、他方の背当て部１４側に上記ホールが必要に応じた数のホール１６とで構成されている。止め具１８をホール１６を嵌めることにより、背当て部１２、１４の先端縁部が重なった状態で背当て部１２、１４を連結することができるようになっている。なお、留め具１８とホール１６の代わりに、平面ファスナー（商品名「マジックテープ」）を使用してもよい。」
　オ　甲第５号証（登録実用新案第３１４１５８０号公報）の記載事項
　本件特許の優先日前に頒布された刊行物である甲第５号証（以下「甲５」という。）には、以下の記載がある。
（ア）「【０００６】
　以下、本考案の実施形態について、図を参照しながら説明する。
　図１(ａ)に本実施形態に係る雄犬用おむつＸの正面図を示し、図１（ｂ）に雄犬用おむつＸの背面図を示し、図２に雄犬用おむつＸの斜視図を示す。雄犬用おむつＸは、帯状体からなる本体１０、本体１０の中央部近傍に設けられる吸水体３０、本体１０の吸水体３０の両側に幅方向に渡って形成されるギャザー２０、２０、本体の端部表面側に設けられる長方形状の粘着シール４１と本体端部裏面側に設けられるシール受け部４２とから構成される固定部４０を有する。
　本体１０は、扁平な長方形状を有する不織布からなり、吸水体３０が設けられる部分の一方の縁部が円弧状に突出することにより幅広部１１を形成する。また、本体１０の吸水体３０が設けられる部分の裏面側全面に渡って、合成樹脂膜による防水加工が施されており、吸水体３０が吸水する尿が裏面側に到達しないようになっている。
　ギャザー２０は、本体２０の２箇所において、幅方向に渡って長手方向に複数のゴム紐を通し固定することで当該箇所が皺になって縮まるように形成されたものである。これによりギャザー２０部分は、本体長手方向に引っ張ると伸び、力を緩めると縮むこととなる。
　吸水体３０は、不織布シートを薄い袋状に形成し、内部に吸水性高分子ポ　リマー粒を封入したものであり、本体２０に接着固定される広い面積を有する第一吸収体３２と、第一吸収体３２の上面に重ねて接着固定される第二吸収体３１とから構成される。第一吸収体３２が装着される位置は、装着する雄犬の泌尿器近傍に位置することが想定される部分である。
　固定部４０を構成する粘着シール４１は、装着前には剥離紙が粘着面に貼り付けられることで粘着しない状態で運搬保存でき、使用の際には、剥離紙を剥がして粘着面を表出することにより使用する。粘着シール４１に粘着面は、シール受け部４２に対して、複数回貼り直しができるものが採用される。また、シール受け部４２は滑らかな表面を有するように加工された紙により形成され、粘着シール４１に対して、本体１０長手方向の幅を広く取ることで、粘着シール４１を貼り付ける位置を本体１０長手方向に調整できるようになっている。これにより、犬の胴周りの長さに応じて、適宜、巻きつける本体１０の長さを調整することができ、また、ギャザー２０の胴回り方向の伸縮の効果と相まって、ぴったりと胴部に沿わせることができる。」
（３）本件訂正発明１について　
　ア　対比
　本件訂正発明１（上記（１）を参照）と甲１発明（上記（２）アを参照）とを対比する。
（ア）甲１発明における構成ａ（「ペット用尿捕捉用品１００の側縁同士を重ね合わせるようにして、ペットの尿道口を隠すようにして腹巻きのように胴部に巻いて、前記ペットの尿道口の部分とその近傍を覆うようにして取り付けられて、尿等の排泄物を処理するペット用尿捕捉用品１００であって、前記ペット用尿捕捉用品１００は、基体１０１と液体吸収性領域１０４とからなり、平面状態では略矩形形状を呈しており、」）と、本件訂正発明１における構成Ａ（『ペットの胴体に巻付けて装着され、長手方向を巻付け方向として配置されるペット用おむつであって、』）とを比較する。
　上記構成ａの「ペット用尿捕捉用品１００」は、尿を捕捉するものであるから、上記構成Ａの『ペット用おむつ』に相当するところ、上記構成ａの「ペット用尿捕捉用品１００」が、「ペットの尿道口を隠すようにして腹巻きのように胴部に巻いて」「取り付け」られることは、上記構成Ａの『ペット用おむつ』が、『ペットの胴体に巻付けて装着され』ることに相当し、
　上記構成ａの「ペット用尿捕捉用品１００」は、「平面状態では略矩形形状を呈して」おり、その「側縁同士を重ね合わせるようにして」「ペットの尿道口を隠すようにして腹巻きのように胴部に巻」かれる際に、上記「略矩形形状」の『長手方向』が『巻き付け方向』となることは明らかであるから、上記構成ａの「ペット用尿捕捉用品１００」が、その「側縁同士を重ね合わせるようにして」「ペットの尿道口を隠すようにして腹巻きのように胴部に巻」かれることは、本件訂正発明１の『ペット用おむつ』が、『長手方向を巻付け方向として配置される』ことに相当する。
　よって、甲１発明における構成ａは、本件訂正発明１における構成Ａに相当する。
（イ）甲１発明における構成ｂ（「前記基体１０１は前記吸収体１０４ａの一面側を覆うように配設された液透過性を有する不織布からなる帯状のトップシート１０２（身体側面のシート）と」）、本件訂正発明１における構成Ｂ（『通気性および透液性を有する帯状の表面シートと、』）とを比較する。
　上記構成ｂの「帯状のトップシート１０２（身体側面のシート）」は、「液透過性を有する」ことを踏まえると、上記構成Ｂにいう『透液性を有する帯状の表面シート』に相当する。また、上記構成ｂの「トップシート１０２」は、「液透過性を有する不織布」からなるところ、「液透過性を有する不織布」は、通常、『通気性』も有する。
　よって、甲１発明における構成ｂは、本件訂正発明１における構成Ｂに相当する。
（ウ）甲１発明における構成ｃ（「前記吸収体１０４ａの他面側を覆うように配設され、前記トップシートに重なって接合された、液不透過性を有する帯状のバックシート１０３（反身体側面のシート）とから構成されており、」）と本件訂正発明１における構成Ｃ（『前記表面シートに重ねた状態で接合され、不透液性を有する帯状の裏面シートと、』）とを比較する。
　上記構成ｃの「帯状のバックシート１０３」が「前記トップシートに重なって接合」されることは、上記構成Ｃの『帯状の裏面シート』が『前記表面シートに重ねた状態で接合され』ることに相当し、
　上記構成ｃの「帯状のバックシート１０３（反身体側面のシート）」は、「液不透過性を有する」ことを踏まえると、上記構成Ｃにいう『不透液性を有する裏面シート』に相当する。
　よって、甲１発明における構成ｃは、本件訂正発明１における構成Ｃに相当する。
（エ）甲１発明の構成ｄ（「前記液体吸収性領域１０４は、前記トップシート１０２と前記バックシート１０３の間に配設される、尿等の液体を吸収するシート状の吸収体１０４ａを備えており、」）と本件訂正発明１における構成Ｄ（『前記表面シートと裏面シートとの間に配設され、吸液性を有する吸収体と、』）を比較する。
　上記構成ｄの「吸収体１０４ａ」が「尿等の液体を吸収する」ことは、上記構成Ｄの『吸収体』が『吸液性を有する』ことに相当し、
　上記構成ｄの「シート状の吸収体１０４ａ」が「前記トップシート１０２と前記バックシート１０３の間に配設」されることは、上記構成Ｄの『吸収体』が『前記表面シートと裏面シートとの間に配設され』ることに相当する。
　よって、甲１発明における構成ｄは、本件訂正発明１における構成Ｄに相当する。
（オ）甲１発明における構成ｅ（「前記基体１０１のトップシート１０２側の面の長手方向側縁近傍には、該側縁に沿って、互いに一定距離を隔てて配設されて尿の横漏れを防ぐ襞状の防漏ギャザー１０６ａ，１０６ｂが設けられ、当該防漏ギャザー１０６ａ，１０６ｂは帯状をしており、その長手方向に沿って伸縮性を付与する弾性体１０７ａ，１０７ｂが内封されており、前記防漏ギャザー１０６ａ，１０６ｂの上端縁には、伸長した状態で弾性体１０７ａ，１０７ｂが配設されて、当該弾性体１０７ａ，１０７ｂが収縮することで防漏ギャザー１０６ａ，１０６ｂが立体状に立ち上げられるものであり、」）と本件訂正発明１における構成Ｅ（『前記表面シートの長手方向に沿って延びる帯状のシート体であり、前記表面シートの前記裏面シートに臨む面とは反対側の面に接合される基端部と、弾発的に伸縮可能な第１索条が長手方向に緊張した状態で内封して配設される第１遊端部とを有する起立片と、』）とを比較する。
　上記構成ｅの「帯状をしている」「防漏ギャザー１０６ａ，１０６ｂ」が、「前記基体１０１のトップシート１０２側の面の長手方向側縁近傍に」おいて「該側縁に沿って」「設けられ」ていることは、上記構成Ｅの『帯状のシート体』が『前記表面シートの長手方向に沿って延び』ていることに相当しており、
　上記構成ｅの「防漏ギャザー１０６ａ，１０６ｂ」は「立体状に立ち上」がる『帯状のシート体』であり、『起立』する『シート体』といえるから、上記構成Ｅの『起立片』に相当しているといえ、
　上記構成ｅの「防漏ギャザー１０６ａ，１０６ｂ」は、「前記基体１０１のトップシート１０２側の面」に設けられており、当該「面」上で「立体状に立ち上」がるものであるから、「前記基体１０１のトップシート１０２側の面」に接している部分、及び、「前記基体１０１のトップシート１０２側の面」から「立ち上」がる部分が存在しているといえるところ、上記「前記基体１０１のトップシート１０２側の面」は、上記構成Ｅの『前記表面シートの前記裏面シートに臨む面とは反対側の面』に相当しているから、上記「前記基体１０１のトップシート１０２側の面」に接している部分、上記「前記基体１０１のトップシート１０２側の面」から「立ち上」がる部分は、それぞれ、上記構成Ｅの『前記表面シートの前記裏面シートに臨む面とは反対側の面に接合される基端部』及び『第１遊端部』に相当しているといえ、
　上記構成ｅの「弾性体１０７ａ，１０７ｂ」は、「防漏ギャザー１０６ａ，１０６ｂの上端縁」に「伸長した状態」で「内封」され、「収縮」するものであり、上記構成Ｅの『弾発的に伸縮可能な第１索条』に相当することを踏まえると、上記構成ｅの「弾性体１０７ａ，１０７ｂ」が、「防漏ギャザー１０６ａ，１０６ｂの長手方向に沿って」「防漏ギャザー１０６ａ，１０６ｂの上端縁」に「伸長した状態」で「内封」されていることは、上記構成Ｅの『弾発的に伸縮可能な第１索条』が、『長手方向に』『緊張した状態』で『第１遊端部』に『内封』されていることに相当する。
　したがって、甲１発明における構成ｅは、本件訂正発明１における構成Ｅに相当する。
（カ）甲１発明における構成ｇ（「前記基体１０１のトップシート１０２側で、一方の側縁近傍には、ペット用尿捕捉用品１００をペットの胴部に取り付けるためのメカニカル係止のフック部材からなる固定手段１０５が設けてあり、別の側縁近傍には、前記固定手段に対応し、不織布からなる被接着部を備え、」）と本件訂正発明１における構成Ｇ（『前記表面シートの長手方向一端部と前記裏面シートの長手方向他端部とを着脱可能に接合する接合部とを含み、』）とを比較する。
　上記構成ｇの「メカニカル係止のフック部材からなる固定手段１０５」及び「前記固定手段に対応し、不織布からなる被接着部」は、上記構成Ｇの『接合部』に相当するところ、前者の「メカニカル係止のフック部材からなる固定手段１０５」は、「前記基体１０１のトップシート１０２側で、一方の側縁近傍」、すなわち、上記構成Ｇにいう『前記表面シートの長手方向一端部』に設けられるといえる。後者の「前記固定手段に対応し、不織布からなる被接着部」は、「別の側縁近傍」に設けられるところ、構成ａのとおり、「ペット用尿捕捉用品１００」の「側縁同士を重ね合わせるようにして」「腹巻きのように胴部に巻」（構成ａ）かれた状態で「固定手段１０５」が「不織布からなる被接着部」に係止することを踏まえると、上記構成ｇの「前記固定手段に対応し、不織布からなる被接着部」は、「基体１０１」の「バックシート１０３側」の「別の側縁近傍」、すなわち、上記構成Ｇにいう『前記裏面シートの長手方向他端部』に設けられているといえる。
　したがって、上記構成ｇの「メカニカル係止のフック部材からなる固定手段１０５」、「前記固定手段に対応し、不織布からなる被接着部」は、それぞれ、『前記表面シートの長手方向一端部に形成される接合部』、『前記裏面シートの長手方向他端部に形成される接合部』といえ、上記構成Ｇの『前記表面シートの長手方向一端部と前記裏面シートの長手方向他端部とを着脱可能に接合する接合部』に相当する。
　よって、甲１発明における構成ｇは、本件訂正発明１における構成Ｇに相当する。
（キ）甲１発明における構成ｈ（「前記固定手段１０５は、幅方向の長さが、基体１０１の幅方向の長さより小さく、液体吸収性領域１０４の幅方向の長さより小さい長方形であり、前記被接着部の面積を増やせば増やすほど、１サイズでの装着範囲を広げることができるものであり、」）と本件訂正発明１における構成Ｈ（『前記接合部は、表面シートの長手方向一端部に形成される接合部と裏面シートの長手方向他端部に形成される接合部とからなり、当該両接合部のうち一方の接合部は、他方の接合部よりも面積が小さい、』）とを比較する。
　上記（カ）で述べたとおり、上記構成ｈの「前記固定手段１０５」及び「前記被接着部」は、それぞれ、上記構成Ｈの『前記表面シートの長手方向一端部に形成される接合部』、『前記裏面シートの長手方向他端部に形成される接合部』に相当する。
　上記構成ｈの「前記固定手段１０５」は、「被接着部の面積を増やせば増やすほど、１サイズでの装着範囲を広げることができるもの」であることから、構成ｈの「前記被接着部」の面積は、１サイズでの装着範囲を広げることができるように「前記固定手段１０５」の面積より大きくされていると解するのが自然であり、「前記固定手段１０５」の面積と「前記被接着部」の面積との関係は、上記構成Ｈの『当該両接合部のうち一方の接合部は、他方の接合部よりも面積が小さ』いことに相当する。
　よって、甲１発明における構成ｈは、本件訂正発明１における構成Ｈに相当する。
　上記（ア）ないし（キ）からみて、本件訂正発明１と甲１発明とは、次の一致点及び相違点を有するものと認められる。
　（一致点）
Ａ　ペットの胴体に巻付けて装着され、長手方向を巻付け方向として配置さ
　れるペット用おむつであって、
Ｂ　通気性および透液性を有する帯状の表面シートと、
Ｃ　前記表面シートに重ねた状態で接合され、不透液性を有する帯状の裏面
　シートと、
Ｄ　前記表面シートと裏面シートとの間に配設され、吸液性を有する吸収体
　と、
Ｅ　前記表面シートの長手方向に沿って延びる帯状のシート体であり、前記
　表面シートの前記裏面シートに臨む面とは反対側の面に接合される基端部
　と、弾発的に伸縮可能な第１索条が長手方向に緊張した状態で内封して配
　設される第１遊端部とを有する起立片と、
Ｇ　前記表面シートの長手方向一端部と前記裏面シートの長手方向他端部と
　を着脱可能に接合する接合部とを含み、
Ｈ　前記接合部は、表面シートの長手方向一端部に形成される接合部と裏面
　シートの長手方向他端部に形成される接合部とからなり、当該両接合部の
　うち一方の接合部は、他方の接合部よりも面積が小さい、
　　ペット用おむつ。
　＜相違点１＞
　本件訂正発明１は、「前記表面シートの長手方向に沿って延びる帯状のシート体であり、前記表面シートの前記裏面シートに臨む面とは反対側の面に接合される基端部と、弾発的に伸縮可能な第１索条が長手方向に緊張した状態で内封して配設される第１遊端部とを有する起立片」（構成Ｅ）に加えて、「前記長手方向に垂直な幅方向の一端部および他端部であって、前記長手方向の中央部に、前記長手方向に沿って設けられ、不透水性で可撓性を有するシートに弾発的に伸縮可能な第２索条が長手方向に緊張した状態で内封して配設される第２遊端部を有するギャザー」（構成Ｆ）を有しているのに対して、
　甲１発明は、上記「起立片」は有しているが、上記「ギャザー」を有していない点。
　＜相違点２＞
　本件訂正発明１では、「前記長手方向に伸縮可能な伸縮部が前記長手方向中央部に形成され、前記伸縮部の前記長手方向両側に非伸縮部が形成される」のに対して、
　甲１発明では、上記「伸縮部」及び「非伸縮部」が形成されるのか明らかでない点。
　イ　相違点についての判断
　相違点１について検討する。
　甲１には、「前記表面シートの長手方向に沿って延びる帯状のシート体であり、前記表面シートの前記裏面シートに臨む面とは反対側の面に接合される基端部と、弾発的に伸縮可能な第１索条が長手方向に緊張した状態で内封して配設される第１遊端部とを有する起立片」（構成Ｅ）は記載されているものの、「前記長手方向に垂直な幅方向の一端部および他端部であって、前記長手方向の中央部に、前記長手方向に沿って設けられ、不透水性で可撓性を有するシートに弾発的に伸縮可能な第２索条が長手方向に緊張した状態で内封して配設される第２遊端部を有するギャザー」（構成Ｆ）を設けることは記載されていない。
　甲２発明は、甲１発明と同様の犬の胴の周りに位置決め可能な犬用おむつにおいて、外側ライナに、第１のギャザー状領域を備えるとともに、当該第１のギャザー状領域内に第２のギャザー状領域を備えるようにして、より高い快適さ及び漏れに対する保護を提供するものであるが、当該ギャザー状領域の構成について、甲２には、複数のギャザー又はひだを含むことが記載されているにとどまり、構成Ｆに係るギャザーは記載されておらず、甲１発明に甲２発明を適用したとしても、構成Ｆに係るギャザーを得ることができない。
　また、甲３には、犬の尿漏れ防止ベルトにおいて、胸部側の縁部と、後足側の縁部に、立体ギャザー１６及び２０に加え、他の立体ギャザー１７及び２１を設けることが記載されているが、更に設ける他の立体ギャザー１７及び２１をほぼ全長にわたって設けるもので、構成Ｆのように「長手方向の中央部」に設けるものではない。甲４は、犬のオムツベルトに関するが、ギャザーに係る事項を開示するものではない。甲５には、雄犬用おむつにおいて、ギャザーを本体の２箇所において複数のゴム紐を通し固定することで当該箇所が皺になって縮まるようにすることが記載されているが、ギャザーは、幅方向に設けるもので構成Ｆのように「長手方向の中央部」に設けるものではないし、「索条」が「内封して配設される」「遊端部」を有するものではない。
　したがって、甲１ないし甲５には、構成Ｅに係る起立片に加えて構成Ｆに係るギャザーを有するようにすることは記載されていないし、構成Ｆに係るギャザーも記載されていないから、相違点１に係る本件訂正発明１の構成を当業者が容易に想到し得たものということはできない。
　そうである以上、相違点２について検討するまでもなく、本件訂正発明１は、甲１ないし甲５に記載された発明又は技術的事項に基づいて、当業者が容易に発明をすることができたものではない。
　以上のとおりであるから、本件訂正発明１が、甲第１号証ないし甲第５号証に記載された発明又は技術的事項に基づいて、当業者が本件特許の優先日において容易に発明をすることができたものではなく、特許法２９条２項の規定により特許を受けることができないものには該当しないし、その他に本件訂正発明１が特許出願の際独立して特許を受けることができないと認めるに足りる事情は見いだせない。
（４）本件訂正発明２について
　本件訂正発明２は、本件訂正発明１に記載の「ペット用おむつ」に係る製造方法の発明であるから、本件訂正発明１に記載の「ペット用おむつ」が、上記（３）で述べたとおり、甲第１号証ないし甲第５号証に記載された発明又は技術的事項に基づいて、当業者が本件特許の優先日において容易に発明をすることができたものではない以上、特許法２９条２項の規定により特許を受けることができないものには該当しないし、その他に本件訂正発明２が特許出願の際独立して特許を受けることができないと認めるに足りる事情は見いだせない。
（５）まとめ
　したがって、本件訂正発明１及び２は、特許出願の際独立して特許を受けることができるものであるから、訂正事項１は、特許法第１２６条第７項の規定に適合する。
第４　むすび
　以上のとおり、本件訂正審判の請求に係る訂正は、特許法１２６条項ただし書１号及び３号に掲げる事項を目的とし、かつ、特許法１２６条５項ないし７項の規定に適合する。
　よって、結論のとおり審決する。